(57)【要約】      （修正有）【課題】清掃対象物に接近している非清掃対象物の損傷を回避した清掃対象面の清掃および清掃ムラのない清掃対象面の清掃を可能にした清掃用具を提供する。【解決手段】清掃用具１は、操作用の把手２と、該把手２の先端が連結されるジョイント３Ａを設けたベース板３と、このベース板３に取り付けられるとともに、着脱自在な拭き取りシート４で被覆されるスポンジからなる弾性体５とを備える。弾性体５は、ベース板３の周端を囲繞して嵌め込む枠部分５ａと、該枠部分５ａの下端に連設されてベース板３の下面を載置して固定する底部分を有する。清掃対象物の清掃時に、清掃用具１が清掃対象物に接近している非清掃対象物に接触または衝突しても、その時の衝撃を弾性体５の枠部分５ａによって緩衝し、清掃用具１による非清掃対象物の損傷を回避する。【選択図】図５
0003166367.tif 000002
【実用新案登録請求の範囲】
【請求項１】
板厚方向の弾性変形が可能なベース板と、このベース板に取り付けられるとともに、着脱自在な拭き取りシートで被覆される弾性体とを備え、該弾性体は、前記ベース板の周端を囲繞して嵌め込む枠部分と、該枠部分の下端に連設されて前記ベース板の下面を載置して固定する底部分を具備してなることを特徴とする清掃用具。
【請求項２】
請求項１に記載した清掃用具において、
前記弾性体の枠部分の高さは、前記ベース板の板厚よりも大きく設定されている清掃用具。
【請求項３】
請求項１または請求項２に記載した清掃用具において、
前記弾性体は、底部分と、この底部分の周縁部上面に接着剤により接着されて前記ベース板の周端を囲繞して嵌め込む枠部分を備えてなる清掃用具。
【請求項４】
請求項１，請求項２または請求項３に記載した清掃用具において、
前記ベース板に前記弾性体の底部分の一部を臨ませる複数の切欠部が設けられ、各切欠部に臨む底部分の一部に前記拭き取りシートの周縁部の複数部位を各別に挿入して保持するスリットが形成されてなる清掃用具。
【請求項５】
請求項１，請求項２，請求項３または請求項４に記載した清掃用具において、
前記ベース板の後端部に操作用の把手連結用のジョイントを備えてなる清掃用具。
【考案の詳細な説明】
【技術分野】
【０００１】
本考案は、ガラスに付着した汚れを除去するための清掃用具に係り、より詳しくは、曲率中心が内側に存在する自動車のフロントガラスやリヤガラスなどの内面の清掃に好適な清掃用具に関する。
【背景技術】
【０００２】
フローリングやガラスなどに付着した汚れを除去するための清掃用具として、たとえば、特許文献１に記載された清掃用具が提案されている。
【０００３】
この清掃用具を図６に示す。図６において、清掃用具５０は、ジョイント部５１を介して把手５２に連結される長方形の基板５３の下面に弾性板５４を積層し、この弾性板５４に図示されていない拭き取りシートを着脱自在に添合させてなり、基板５３は硬質合成樹脂の成形体によって構成され、弾性板５４はスポンジ、ウレタンフォーム、ゴムなどの弾性体によって構成されている。
【０００４】
前記構成の清掃用具５０によれば、把手５２を把持して弾性板５４に添合されている拭き取りシート（図示省略）をフローリングやガラスなどの清掃対象面に押し当て、清掃対象面に沿って清掃用具５０を移動させることで当該清掃対象面を清掃できる。
【先行技術文献】
【特許文献】
【０００５】
【特許文献１】特開２００５−５８６７８号公報
【考案の概要】
【考案が解決しようとする課題】
【０００６】
前記特許文献１に記載されている清掃用具５０を小型化すれば、自動車のフロントガラスやリヤガラスなどの清掃対象物の内面（清掃対象面）を清掃することもできる。しかし、弾性板５４の周縁部が長方形の基板５３の下側で該基板５３の周端から僅かにはみ出ている構造にしか過ぎないので、当該清掃用具５０で清掃対象面である自動車のフロントガラスの内面を清掃すると、フロントガラスの上縁部および左右両側縁部が連続する自動車ボディのピラー、ルームミラー、あるいはダッシュボードなどの非清掃対象物に基板５３の周端が接触または衝突して、これら非清掃対象物を損傷させるおそれを有する。
【０００７】
また、自動車のフロントガラスは、複数の曲率中心がフロントガラスの内側、つまり車室側に存在する曲面を有して成形されているので、把手５２を把持して弾性板５４に添合されている拭き取りシート（図示省略）を清掃対象面であるフロントガラスの内面に押し当てても、硬質合成樹脂の成形体からなる基板５３の弾性変形が困難であるため、弾性板５４に添合されている拭き取りシート（図示省略）の全面を清掃対象面に均等に当接させて清掃することが困難であり、清掃ムラが生じる問題点を有している。
【０００８】
本考案は上記の実情に鑑みてなされたものであって、清掃対象物に接近している非清掃対象物の損傷を回避した清掃対象面の清掃および清掃ムラのない清掃対象面の清掃を可能にした清掃用具の提供を目的とするものである。
【課題を解決するための手段】
【０００９】
前記目的を達成するために、本考案に係る清掃用具は、板厚方向の弾性変形が可能なベース板と、このベース板に取り付けられるとともに、着脱自在な拭き取りシートで被覆される弾性体とを備え、該弾性体は、前記ベース板の周端を囲繞して嵌め込む枠部分と、該枠部分の下端に連設されて前記ベース板の下面を載置して固定する底部分を具備してなることを特徴としている。
【００１０】
前記構成の清掃用具によれば、拭き取りシートにおける弾性体の底部分を被覆している部位を清掃対象物の清掃対象面に押し当てて、清掃対象面に沿って清掃用具を移動させることで当該清掃対象面を清掃できる。また、清掃用具の移動によって、該清掃用具が清掃対象物に接近している非清掃対象物に接触または衝突しても、接触または衝突時の衝撃は、ベース板の周端を囲繞して嵌め込んでいる弾性体の枠部分によって緩衝されるので、清掃用具による非清掃対象物の損傷を回避することができる。さらに、拭き取りシートにおける弾性体の底部分を被覆している部位を清掃対象物の清掃対象面に押し当てることで、板厚方向の弾性変形が可能なベース板は、清掃対象面の曲面に沿って弾性変形するとともに、ベース板の弾性変形に追従して弾性体の底部分も弾性変形するので、拭き取りシートにおける弾性体の底部分を被覆している部位の全面を清掃対象面に均等に当接させて、清掃ムラのない清掃対象面の清掃を実施することが可能となる。
【００１１】
本考案に係る清掃用具における弾性体の枠部分の高さは、前記ベース板の板厚よりも大きく設定することが望ましい。
【００１２】
これによれば、清掃用具が非清掃対象物に接触または衝突すると、枠部分における非清掃対象物との接触または衝突部位は、弾性変形してベース板の周縁部の上面を覆うことになる。したがって、ベース板と非清掃対象物の接触または衝突が回避されるので、前記枠部分の衝撃緩衝作用との協働により、清掃用具による非清掃対象物の損傷回避能力を高めることができる。
【００１３】
本考案に係る清掃用具の弾性体は、底部分と、この底部分の周縁部上面に接着剤により接着されて前記ベース板の周端を囲繞して嵌め込む枠部分を備えてなることが望ましい。
【００１４】
これによれば、弾性体における底部分の周縁部上面と枠部分の下面の間に強靭な接着剤層が介在して、底部分の周縁部上面とその近傍および枠部分の下面とその近傍の衝撃緩衝能力を高めることができるので、清掃用具による非清掃対象物の損傷をより一層確実に回避することができる。
【００１５】
本考案に係る清掃用具は、ベース板に前記弾性体の底部分の一部を臨ませる複数の切欠部を設け、各切欠部に臨む底部分の一部に前記拭き取りシートの周縁部の複数部位を各別に挿入して保持するスリットを形成することが望ましい。
【００１６】
これによると、弾性体の底部分と枠部分に添接した拭き取りシートの周縁部の複数部位を、各別にベース板の複数の切欠部を通して弾性体の底部分に形成したスリットに挿入する簡単な操作によって、拭き取りシートによる弾性体の被覆状態を保持することができるとともに、拭き取りシートの交換に際しては、スリットに挿入されている拭き取りシートの周縁部の複数部位を、スリットから抜き取る簡単な操作によって、拭き取りシートを取り外すことができる。
【００１７】
本考案に係る清掃用具は、ベース板の後端部に操作用の把手連結用のジョイントを備えることが望ましい。
【００１８】
これによれば、操作用の把手の前端部をジョイントに連結すると、ベース板および弾性体を含む清掃用具の略全体が操作用の把手の前側に突出したオーバ−ハング構造で清掃することができる。そのため、たとえば、空力係数の低減やデザイン上の観点などから、フロントガラスの勾配が緩やかに設定されて、フロントガラスの前端部内面とダッシュボードの前端部上面の合わせ部が狭隘である昨今の自動車であっても、ジョイントが前記狭隘な領域に進入しないので、ジョイントと非清掃対象物であるダッシュボードとの接触や衝突を回避して、ダッシュボードを損傷することなく、フロントガラスの前端部内面を容易かつ適正に清掃することができる。
【考案の効果】
【００１９】
本考案に係る清掃用具は、清掃対象物に接近している非清掃対象物に接触または衝突しても、接触または衝突時の衝撃は弾性体の枠部分によって緩衝されるので、清掃用具による非清掃対象物の損傷を回避することができる。また、板厚方向の弾性変形が可能なベース板は、清掃対象面の曲面に沿って弾性変形するとともに、ベース板の弾性変形に追従して弾性体の底部分も弾性変形するので、拭き取りシートにおける弾性体の底部分を被覆している部位の全面を清掃対象面に均等に当接させて、清掃ムラのない清掃対象面の清掃を実施することが可能となる。
【図面の簡単な説明】
【００２０】
【図１】本考案に係る清掃用具において拭き取りシートを除去した状態の一実施形態を示す斜視図である。
【図２】図１のＩＩ−ＩＩ線に沿う断面図である。
【図３】図１の分解斜視図である。
【図４】ベース板と操作用の把手との連結状態の一例を示す断面図である。
【図５】本考案に係る清掃用具において拭き取りシートで弾性体を被覆した使用可能な状態の一実施形態を示す斜視図である。
【図６】従来例の斜視図である。
【考案を実施するための形態】
【実施例】
【００２１】
以下、本考案に係る清掃用具の好ましい実施形態を図面に基づいて説明する。
図１は本考案に係る清掃用具において拭き取りシートを除去した状態の一実施形態を示す斜視図、図２は図１のＩＩ−ＩＩ線に沿う断面図、図３は図１の分解斜視図、図４はベース板と操作用の把手との連結状態の一例を示す断面図、図５は本考案に係る清掃用具において拭き取りシートで弾性体を被覆した使用可能な状態の一実施形態を示す斜視図である。
【００２２】
図１〜図５において、清掃用具１は、操作用の把手２と、該把手２の先端に設けられたベース板３と、このベース板３に取り付けられるとともに、着脱自在な拭き取りシート４で被覆される弾性体５とを備えている。
【００２３】
操作用の把手２は、硬質合成樹脂によって成形された細長い把持部２ａと、この把持部２ａの先端部に突没自在に設けられた係合用の突起２ｂとを備え、該係合用の突起２ｂの上端部は、図示されていないスプリングの付勢によって、常時、把持部２ａの先端部上面より上方に突出している。
【００２４】
ベース板３は、ＡＢＳ，ポリエチレン，ポリプロピレン，ポリエステル，塩化ビニールなどの柔軟性に富む合成樹脂からなり、幅方向（図１の矢印Ｗ）の大きさが前後方向（図１の矢印Ｌ）の大きさよりも十分に大きい長方形を呈し、その板厚ｔ（図２，図３参照）は比較的薄く設定されている。したがって、板厚ｔ方向の弾性変形が可能である。また、ベース板３には、四つの長孔からなる切欠部３ａ，３ｂ，３ｃ，３ｄが板厚ｔ方向に貫通し、かつ、幅方向（矢印Ｗ）にのびて設けられているとともに、幅方向の中央部における後側寄りの上面に樹脂製のジョイント３Ａが設けられている。
【００２５】
ジョイント３Ａは、図４に示すように、後端部に開口３ｅを設け、前端部が閉塞板３ｆによって閉塞されているとともに、一対の側板３ｇ（ただし、図１，図３，図５において一方の側板のみが示されている）の上端が天板３ｈによって塞がれている盲貫トンネル状のもので、天板３ｈの後端部を貫通して前記操作用の把手２における係合用の突起２ｂの上端部が係脱する係合孔３ｉが形成されている。したがって、図３に示す操作用の把手２を矢印Ｆ方向に前進させて、その先端部をジョイント３Ａの開口３ｅに押し込むことで、係合用の突起２ｂの上端面がジョイント３Ａの天板３ｈに干渉し、図示されていないスプリングの付勢に抗して押し下げられたのち、さらに係合用の突起２ｂが係合孔３ｉの下側まで移動すると前記スプリングの付勢により上昇して係合孔３ｉに係合することで、図１に示すように、ベース板３および弾性体５を含む清掃用具１の略全体が操作用の把手２の前側に突出したオーバ−ハング構造になる。なお、この連結状態で、指先により前記スプリングの付勢に抗して係合用の突起２ｂを押し下げた状態で、把手２を反矢印Ｆ方向に引っ張ることで、ベース板３から把手２を取り外すことができる。
【００２６】
拭き取りシート４は、着塵剤を含浸させたウエットタイプの不織布からなり長方形を呈し、予め所定の大きさに裁断されている。
【００２７】
弾性体５は、スポンジによって構成され、ベース板３の周端３Ｂを囲繞して嵌め込む枠部分５ａと、この枠部分５ａの下端に連設されてベース板３の下面を載置して接着剤（図示省略）で固定する底部分５ｂとを備える。本実施形態では、図２に示すように、枠部分５ａの高さｈは、ベース板３の板厚ｔよりも十分に大きい値に設定されている。また、底部分５ｂの周縁部上面に接着剤６により枠部分５ａを接着した構成としている。そして、図１に示すように、ベース板３の各切欠部３ａ，３ｂ，３ｃ，３ｄに臨む底部分５ｂの一部に幅方向（矢印Ｗ）に直線状にのびるスリットＳを設けてある。
【００２８】
清掃用具１は、図１に示す弾性体５の底部分５ｂと枠部分５ａを、図５のように拭き取りシート４で被覆したのちに使用に供される。弾性体５の底部分５ｂと枠部分５ａに添接した拭き取りシート４における周縁部の四つの部位を、各別にベース板３の四つの切欠部３ａ，３ｂ，３ｃ，３ｄを通して弾性体５の底部分５ｂに形成したスリットＳに挿入する簡単な操作によって、拭き取りシート４による弾性体５の被覆状態を保持することができる。なお、拭き取りシート４の交換に際しては、スリットＳに挿入されている前記四つの部位を、スリットＳから抜き取る簡単な操作によって、拭き取りシート４を取り外すことができる。
【００２９】
図５に示す清掃用具１の把持部２ａを把持して、拭き取りシート４における弾性体５の底部分５ｂの底面を被覆している部位を清掃対象物である例えば自動車のフロントガラスの内面（図示省略）、つまり清掃対象面に押し当てて、この清掃対象面に沿って清掃用具１を移動させることでフロントガラスの内面を清掃することができる。フロントガラスの内面に沿って清掃用具１が移動することで、該清掃用具１は、フロントガラスの上縁部および左右両側縁部が連続する自動車ボディのピラー、ルームミラー、あるいはダッシュボードなどの非清掃対象物（図示省略）に接触または衝突する。この接触または衝突時の衝撃は、ベース板３の周端を囲繞して嵌め込んでいる弾性体５の枠部分５ａによって緩衝されるので、清掃用具１による非清掃対象物の損傷を回避することができる。
【００３０】
枠部分５ａの高さｈがベース板３の板厚ｔよりも十分に大きい値に設定されていることにより、清掃用具１が前記非清掃対象物に接触または衝突すると、枠部分５ａにおける非清掃対象物との接触または衝突部位は、図２の二点鎖線で示すように弾性変形して、ベース板３の周縁部の上面を覆うことになる。したがって、ベース板３と非清掃対象物の接触または衝突が回避されるので、前述した枠部分５ａの衝撃緩衝作用との協働により、清掃用具１による非清掃対象物の損傷回避能力を高めることができる。
【００３１】
一方、弾性体５の底部分５ｂの周縁部上面に接着剤６により枠部分５ａが接着されていることによって、弾性体５における底部分５ｂの周縁部上面と枠部分５ａの下面の間に強靭な接着剤層が介在することになる。これにより、底部分５ｂの周縁部上面とその近傍および枠部分５ａ下面とその近傍の衝撃緩衝能力が高められるので、清掃用具１による前記非清掃対象物の損傷をより一層確実に回避することができる。
【００３２】
他方、ベース板３は、板厚ｔ方向の弾性変形が可能であるので、把手２を把持して、拭き取りシート４における弾性体５の底部分５ｂの底面を被覆している部位を清掃対象物の清掃対象面、つまり、フロントガラスの内面に押し当てることで、ベース板３は、フロントガラスの内面を形成している曲面に沿って弾性変形するとともに、ベース板３の弾性変形に追従して弾性体５の底部分５ｂも弾性変形するので、拭き取りシート４における弾性体５の底部分５ｂの底面を被覆している部位の全面をフロントガラスの内面に均等に当接させて、清掃ムラのないフロントガラスの内面の清掃を実施することが可能となる。
【００３３】
また、ベース板３の幅方向の中央部における後端部の上面にジョイント３Ａが一体に成形され、このジョイント３Ａに操作用の把手２の前端部が連結されることで、ベース板３および弾性体５を含む清掃用具１の略全体が操作用の把手２の前側に突出したオーバ−ハング構造になる。そのため、たとえば、空力係数の低減やデザイン上の観点などから、フロントガラス（図示省略）の勾配が緩やかに設定されて、フロントガラスの前端部内面とダッシュボード（図示省略）の前端部上面の合わせ部が狭隘である昨今の自動車であっても、ジョイント３Ａが前記狭隘な領域に進入しないので、ジョイント３Ａと非清掃対象物であるダッシュボードとの接触や衝突を回避して、ダッシュボードを損傷することなく、フロントガラスの前端部内面を容易かつ適正に清掃することができる。
【００３４】
前記実施形態の弾性体５はスポンジによって構成しているが、ウレタンフォーム、ポリスチロール、フエルト、ゴムなどの弾性材料で構成してもよい。また、底部分５ｂの周縁部上面に接着剤６により枠部分５ａを接着した構造の弾性体５を使用しているが、枠部分５ａと底部分５ｂとを一体成形した構造の弾性体５であってもよい。ただし、底部分５ｂの周縁部上面に接着剤６により枠部分５ａを接着した構造の弾性体５の方が、前述のように底部分５ｂの周縁部上面と枠部分５ａの下面の間に強靭な接着剤層が介在して、底部分５ｂの周縁部上面とその近傍および枠部分５ａ下面とその近傍の衝撃緩衝能力が高められるので有利である。さらに、前記実施形態では、フロントガラスの内面の清掃について説明しているが、フロントガラスの外面、サイドガラスの内面及び外面、リアガラスの内面及び外面やサンルーフの内面及び外面などの清掃に適用することも可能である。
【００３５】
また、前記実施形態では、ベース板３に操作用の把手２を連結し、この把手２の把持部２ａを把持して清掃対象物の清掃対象面を清掃しているが、把手２を省略してジョイント３Ａを把持するか、あるいは、ジョイント３Ａに代えてベース板３の上面適所に把持用部材を突設し、この把持用部材を把持して清掃対象物の清掃対象面を清掃するように構成してもよい。
【産業上の利用可能性】
【００３６】
清掃用具１は、例えば、自動車のフロントガラスの内面の清掃に使用される。この清掃用具１を使用してフロントガラスの内面を清掃しても、当該清掃用具１によって、フロントガラスの上縁部および左右両側縁部が連続する自動車ボディのピラー、ルームミラー、あるいはダッシュボードなどの非清掃対象物の損傷を回避することができる。
【符号の説明】
【００３７】
１  清掃用具
３  ベース板
３Ａ  ジョイント
３ａ  切欠部
３ｂ  切欠部
３ｃ  切欠部
３ｄ  切欠部
４  拭き取りシート
５  弾性体
５ａ  枠部分
５ｂ  底部分
６  接着剤
Ｓ  スリット
ｔ  ベース板の板厚
ｈ  枠部分の高さ
【図１】
0003166367.tif 000003
【図２】
0003166367.tif 000004
【図３】
0003166367.tif 000005
【図４】
0003166367.tif 000006
【図５】
0003166367.tif 000007
【図６】
0003166367.tif 000008